(57)【要約】【課題】本発明は、誰でも手軽に用いることができる極めて実用性及び汎用性に秀れた浮体構造物を提供することを目的とする。【解決手段】浮上自在に配設する浮き部１に空気流通部２を設け、この空気流通部２に強制的に空気を送り込むための送風装置３を備え、この送風装置３により前記空気流通部２に強制的に空気を送り込むことで、この流通空気による揚力によって前記浮き部１が浮上し、この空気の送り込みを停止若しくは減ずることで浮き部１が降下し得るように構成したものである。【選択図】        図１
2004176464.tif 000002
【特許請求の範囲】
【請求項１】
浮上自在に配設する浮き部に空気流通部を設け、この空気流通部に強制的に空気を送り込むための送風装置を備え、この送風装置により前記空気流通部に強制的に空気を送り込むことで、この流通空気による揚力によって前記浮き部が浮上し、この空気の送り込みを停止若しくは減ずることで浮き部が降下し得るように構成したことを特徴とする浮体構造物。
【請求項２】
強制的に空気を送り込み流通させる空気流通部を有する浮き部と、この空気流通部に強制的に空気を送り込むことで浮上する前記浮き部の浮上を阻止してこの浮き部を所定高さ位置に保持する浮上阻止機構とから成ることを特徴とする浮体構造物。
【請求項３】
前記空気流通部内に、この空気流通部内に強制的に送り込まれる空気の流れによって揚力を生じる形状に設定した揚力部を設けたことを特徴とする請求項１，２のいずれか１項に記載の浮体構造物。
【請求項４】
前記空気流通部は、送風装置からの空気を導入する導入部と、この導入された空気を排出する排出部とを有し、この空気流通部を複数並設状態に設けて前記浮き部を構成したことを特徴とする請求項１〜３のいずれか１項に記載の浮体構造物。
【請求項５】
前記浮き部は、樹脂製シート材で構成したことを特徴とする請求項１〜４のいずれか１項に記載の浮体構造物。
【請求項６】
前記浮き部は、筒状の空気流通部を多数並設した構成若しくは筒状の空気流通部をシート状部で連設した構成としたことを特徴とする請求項１〜５のいずれか１項に記載の浮体構造物。
【請求項７】
前記浮き部の一方側から他方側に長さを有する筒状部を前記空気流通部とし、この浮き部の一方側に前記空気流通部の導入部から空気を送り込む送風装置を備え、浮き部の他方側に空気流通部の排出部を配置して、送風装置により前記空気流通部に強制的に空気を送り込むことで、浮き部を一方側から他方側へ吹き流し状態で浮遊させてこの流通空気による揚力によって前記浮き部が浮上し、この空気の送り込みを停止若しくは減ずることで浮き部が降下し得るように構成したことを特徴とする請求項１〜６のいずれか１項に記載の浮体構造物。
【請求項８】
前記浮き部に浮き部の浮上を阻止する浮上引き止め部を浮き部と地上若しくは地上固定部との間に設け、浮上する前記浮き部の浮上を阻止してこの浮き部を所定高さ位置に保持する浮上阻止機構を設けたことを特徴とする請求項１〜７のいずれか１項に記載の浮体構造物。
【請求項９】
前記浮き部を軸に設けた回転体に取り付け、この回転体を前記軸に沿って回転するように構成したことを特徴とする請求項１〜７のいずれか１項に記載の浮体構造物。
【請求項１０】
前記回転体の内面に、送風装置によって強制的に送り込まれる空気によってこの回転体を回転し得る羽根部を設けたことを特徴とする請求項９に記載の浮体構造物。
【発明の詳細な説明】
【０００１】
【発明の属する技術分野】
本発明は、例えば、屋外作業時に雨避け，日避け若しくは雪避けとする仮設屋根等として利用できる浮体構造物に関するものである。
【０００２】
【従来の技術及び発明が解決しようとする課題】
従来、工事現場等での屋外作業時に、雨避けや日避けとして一時的に使用される仮設屋根としては、梁，支柱，板材，シート等の資材を適宜組み合わせて組み立てる組立式のものが一般的である。
【０００３】
具体的には、この組立式の仮設屋根は施工の際、先ず工事現場に仮設される足場と同様にして個々の資材を組み合わせて架台を組み立て、この架台上に梁を渡し、この梁に前記シートを張ることで、前記雨避けや日避けをするための屋根部を構成する必要があり、コスト及び手間がかかることは避けられない。
【０００４】
しかも、前記架台は梁を渡すために、ある程度の荷重に耐え得る構造とする必要があり、そのため、この架台は大掛かりな構造とならざるを得ず、この組立式の仮設屋根の施工には一層手間がかかることになる。
【０００５】
このように、組立式の仮設屋根は、大掛かりな構造で施工に多大なコスト及び手間がかかるため、一度施工すると解体や移動が困難であり、特にクレーンによる上空からの資材搬入の際、この組立式の仮設屋根を工事現場の上空から容易に撤去することができずに搬入作業を効率的に行うことができないという問題点があった。
【０００６】
そこで、近年、特開平４−３３９９６６号公報や特開平７−２５２９４４号公報のように、仮設屋根自体若しくは前記屋根部を移動可能に構成することで、施工した工事現場の上空を容易に解放可能な仮設屋根が提案されている。
【０００７】
上記特開平４−３３９９６６号公報は、並設したチューブ体にヘリウムガスを充填して浮遊可能とし、このチューブ体を浮遊させることで仮設屋根とするガス浮遊式の仮設屋根である。
【０００８】
このガス浮遊式の仮設屋根は、非常に軽量であるため移動が容易であり、工事現場の上空から容易に撤去することが可能であるが、上述したようにチューブ体にヘリウムガス等の空気より比重の小さいガス体を充填することにより前記チューブ体を浮遊させているため、このガス体の管理に常に気を払わなければならず、そのため、施工は容易でなくコスト高となることは避けられないし、このチューブ体を降下させる際には、前記ガス体を抜くのに手間がかかり、短時間で降下させることができないため、強風時には飛ばされないように特に注意する必要があった。
【０００９】
一方、特開平７−２５２９４４号公報は、上記組立式と同様に梁等の資材を組み合わせて仮設屋根を構成したものであり、前記屋根部を自動開閉機構により自動開閉可能に構成した開閉式の仮設屋根である。
【００１０】
この開閉式の仮設屋根は、前記屋根部の一部分を自動で移動させて現場の上空から容易に撤去することができるが、前記組立式の仮設屋根に屋根部の自動開閉機構を加えた構造であるため、一層大掛かりな構造となり、必然的に施工には前記組立式の仮設屋根よりも一層多大なコスト及び手間がかかることは避けられない。
【００１１】
本発明は、上述のような現状に鑑み、浮上を保持する浮き部に空気流通部を設け、例えばこの空気流通部に強制的に空気を送り込むための送風装置を備え、この送風装置により前記空気流通部に強制的に空気を送り込むことで、この流通空気による揚力によって前記浮き部が浮上し、この空気の送り込みを停止若しくは減ずることで浮き部が降下し得るように構成することで、この浮き部を特殊なガス体を用いる必要なく空気を送り込むことによって浮上させることができるから、極めて容易且つコスト安に施工することができ、施工しても前記空気の送り込みを停止若しくは減ずることで降下させることができるから、施工した現場から極めて容易且つ手間なく撤去することができ、誰でも手軽に用いることができる極めて実用性及び汎用性に秀れた浮体構造物を提供するものである。
【００１２】
【課題を解決するための手段】
添付図面を参照して本発明の要旨を説明する。
【００１３】
浮上自在に配設する浮き部１に空気流通部２を設け、この空気流通部２に強制的に空気を送り込むための送風装置３を備え、この送風装置３により前記空気流通部２に強制的に空気を送り込むことで、この流通空気による揚力によって前記浮き部１が浮上し、この空気の送り込みを停止若しくは減ずることで浮き部１が降下し得るように構成したことを特徴とする浮体構造物に係るものである。
【００１４】
また、強制的に空気を送り込み流通させる空気流通部２を有する浮き部１と、この空気流通部２に強制的に空気を送り込むことで浮上する前記浮き部１の浮上を阻止してこの浮き部１を所定高さ位置に保持する浮上阻止機構４とから成ることを特徴とする浮体構造物に係るものである。
【００１５】
また、前記空気流通部２内に、この空気流通部２内に強制的に送り込まれる空気の流れによって揚力を生じる形状に設定した揚力部１５を設けたことを特徴とする請求項１，２のいずれか１項に記載の浮体構造物に係るものである。
【００１６】
また、前記空気流通部２は、送風装置３からの空気を導入する導入部２ａと、この導入された空気を排出する排出部２ｂとを有し、この空気流通部２を複数並設状態に設けて前記浮き部１を構成したことを特徴とする請求項１〜３のいずれか１項に記載の浮体構造物に係るものである。
【００１７】
また、前記浮き部１は、樹脂製シート材で構成したことを特徴とする請求項１〜４のいずれか１項に記載の浮体構造物に係るものである。
【００１８】
また、前記浮き部１は、筒状の空気流通部２を多数並設した構成若しくは筒状の空気流通部２をシート状部５で連設した構成としたことを特徴とする請求項１〜５のいずれか１項に記載の浮体構造物に係るものである。
【００１９】
また、前記浮き部１の一方側から他方側に長さを有する筒状部を前記空気流通部２とし、この浮き部１の一方側に前記空気流通部２の導入部２ａから空気を送り込む送風装置３を備え、浮き部１の他方側に空気流通部２の排出部２ｂを配置して、送風装置３により前記空気流通部２に強制的に空気を送り込むことで、浮き部１を一方側から他方側へ吹き流し状態で浮遊させてこの流通空気による揚力によって前記浮き部１が浮上し、この空気の送り込みを停止若しくは減ずることで浮き部１が降下し得るように構成したことを特徴とする請求項１〜６のいずれか１項に記載の浮体構造物に係るものである。
【００２０】
また、前記浮き部１に浮き部１の浮上を阻止する浮上引き止め部６を浮き部１と地上７若しくは地上固定部８との間に設け、浮上する前記浮き部１の浮上を阻止してこの浮き部１を所定高さ位置に保持する浮上阻止機構４を設けたことを特徴とする請求項１〜７のいずれか１項に記載の浮体構造物に係るものである。
【００２１】
また、前記浮き部１を軸１８に設けた回転体１６に取り付け、この回転体１６を前記軸１８に沿って回転するように構成したことを特徴とする請求項１〜７のいずれか１項に記載の浮体構造物に係るものである。
【００２２】
また、前記回転体１６の内面に、送風装置３によって強制的に送り込まれる空気によってこの回転体１６を回転し得る羽根部１７を設けたことを特徴とする請求項９に記載の浮体構造物に係るものである。
【００２３】
【発明の実施の形態】
好適と考える本発明の実施の形態（発明をどのように実施するか）を、図面に基づいてその作用効果を示して簡単に説明する。
【００２４】
浮き部１に設けた空気流通部２に、例えば送風装置３によって強制的に空気を送り込むと、この流通空気による揚力によって前記浮き部１が浮上する。
【００２５】
従って、例えば工事現場の仮設屋根としてこの工事現場に施工する際、送風装置３によって空気流通部２に空気を送り込むだけで浮き部１を浮上させることができるから、従来用いられていたような特殊なガス体や梁を渡すための大掛かりな架台が必要なく、極めて容易且つコスト安に施工することができる。
【００２６】
また、送風装置３による空気の送り込みを停止若しくは減ずることで前記流通空気による揚力は小さくなり、浮き部１は自重で降下する。
【００２７】
従って、送風装置３による空気の送り込みを停止若しくは減ずるだけで、極めて容易且つ手間なく短時間でこの浮上している浮き部１を降下させて、浮上高さを調整したり、地上に降ろすことができる。
【００２８】
即ち、従来長時間かかっていた上空からの撤去作業を、単に前記送風装置３からの空気の送り込みを調整するだけで行うことができるから、極めて短時間で上空から撤去することができる。
【００２９】
従って、従来は効率的に行うことができなかったクレーンによる工事現場の上空からの資材の搬入が極めて効率的に行うことができることになるのは勿論、この浮き部１が破損するような悪天候時にも容易に降下させて収納することができる。
【００３０】
即ち、上述のように施工及び撤去を極めて容易且つコスト安に行うことができることから、従来の工事現場における仮設屋根とするような大規模な使用に限られるものではなく、誰でも手軽に用いることができる汎用性に秀れたものとなる。
【００３１】
また、例えば空気流通部２内に、この空気流通部２内に強制的に送り込まれる空気の流れによって揚力を生じる形状に設定した揚力部１５を設けた場合には、この揚力部１５によってより一層効率的に前記揚力を確保することができる。
【００３２】
即ち、この浮き部１を浮上させるために必要なエネルギーを低減できる。
【００３３】
また、例えば浮き部１の浮上を阻止してこの浮き部１を所定高さ位置に保持する浮上阻止機構４を設けた場合には、前記浮き部１が浮上しすぎることを気にせずに、前記送風装置３に勢いよく空気を送り込むことができ、この浮き部１は伸張状態で且つ確実に所定高さに保持することができる。
【００３４】
即ち、強風等によって容易に飛ばされることを防ぐことができる。
【００３５】
従って、本発明は、極めて容易且つコスト安に施工することができると共に、施工した現場から極めて容易且つ手間なく撤去することができ、誰でも手軽に用いることができる極めて実用性及び汎用性に秀れた浮体構造物を提供できることとなる。
【００３６】
【実施例】
本発明の具体的な実施例について説明する。
【００３７】
本実施例は、浮上自在に配設する浮き部１に空気流通部２を設け、この空気流通部２に強制的に空気を送り込むための送風装置３を備え、この送風装置３により前記空気流通部２に強制的に空気を送り込むことで、この流通空気による揚力によって前記浮き部１が浮上し、この空気の送り込みを停止若しくは減ずることで浮き部１が降下し得るように構成したものである。
【００３８】
具体的には、前記浮き部１の一方側から他方側に長さを有する断面視四角形状の筒状部を前記空気流通部２とし、この浮き部１の一方側に前記空気流通部２の導入部２ａから空気を送り込む送風装置３を備え、浮き部１の他方側に空気流通部２の排出部２ｂを配置して、送風装置３により前記空気流通部２に強制的に空気を送り込むことで、浮き部１を一方側から他方側へ吹き流し状態で浮遊させてこの流通空気による揚力によって前記浮き部１が浮上し、この空気の送り込みを停止若しくは減ずることで浮き部１が降下し得るように構成したものである。
【００３９】
尚、空気流通部２は、空気が拡散しないように四辺閉鎖した筒状のものが好ましいが、拡散しないものであれば開放されているものでも良い。また、この空気流通部２の形状は、四角形，三角形，円形等どんなものでも良い。
【００４０】
また、本実施例は、浮き部１に設けた空気流通部２内に、この空気流通部２内に強制的に送り込まれる空気の流れによって揚力を生じる形状に設定した揚力部１５を設けた構成としている。
【００４１】
この揚力部１５として翼部９を樹脂製のシート材から成る前記空気流通部２内にこの空気流通部２の長さ方向に所定間隔で複数並設状態で配設している。
【００４２】
この翼部９は、前記空気流通部２の導入部２ａ側を、この空気流通部２の両側面に枢着し、この空気流通部２内に送り込まれる空気により、効果的に揚力が生じる角度に調整可能なように、この翼部９の空気の前記空気流通部２の排出部２ｂ側を上下方向に所定範囲で旋回可能に構成している。この翼部９は、旋回させて角度を調整した後、固定状態とするように設定されている。
【００４３】
この翼部９の旋回可能範囲は、前記送り込まれる空気に対して略平行状態から、前記翼部９が前記送り込まれる空気の量や速度に応じて大きな揚力を得られる迎え角となる状態までに設定している。
【００４４】
また、この翼部９は、断面視流線形状であり、この翼部９の前記導入部２ａ側から排出部２ｂ側に流れる空気を上面から下面に循環し得る形状である。具体的には、この翼部９の周囲を循環する空気の流速と、翼部９の前記導入部２ａ側から排出部２ｂ側に流れる空気の流速とを合成することで、この翼部９の上面の流速を下面の流速よりも速くすることができるように構成したものである。
【００４５】
即ち、前記空気流通部２内に前記送風装置３により強制的に空気を送り込むと、この送り込まれた空気の流れは、この翼部９が断面視流線形状であることから、翼部９の上面の流速の方が下面の流速より高速になり、ベルヌーイの定理により上面の圧力が下面より低圧になることで、この翼部９には揚力が生じる。
【００４６】
尚、本実施例においては前記翼部９を調整後に固定状態とするように設定したが、例えばこの翼部９を予め固定状態としても、自由に旋回できるように構成しても良いし、前記浮き部１が浮上した状態で遠隔操作で旋回できるように構成しても良い。
【００４７】
この翼部９に発生した揚力は、必然的にこの翼部９が設けられた空気流通部２を設けた浮き部１にも働くことになる。
【００４８】
従って、前記空気流通部２の流通空気による揚力と、この翼部９に生じる揚力とによって図１に図示したようにこの浮き部１を浮上させることができる。
【００４９】
特に、本実施例においては、前記翼部９を所定間隔で複数並設状態で設けたから、前記空気流通部２の全体に均等に働くことになり、揚力を効率良く確保することができ、前記浮き部１を容易に水平状態で浮上させることが可能となる。
【００５０】
即ち、広い範囲を覆えるように面積を大きくした浮き部１であっても、確実に浮上させることができる。
【００５１】
また、前記送風装置３によって強制的に送り込まれた空気によって生じる揚力により、前記浮き部１を吹き流し状態で浮上させているから、前記空気流通部２内には空気が留まらずに常に流通している。
【００５２】
即ち、この送風装置３による空気の送り込みを停止若しくは減ずることで、前記空気流通部２内には揚力を生じさせる空気の流れがなくなり、従来のヘリウムガスを封入することにより浮上させる構成のように、この封入されたヘリウムガスを一々抜く作業を必要とせずに、前記浮き部１は自重で降下する。
【００５３】
従って、浮上した浮き部１を極めて容易且つ手間なく降下させることができ、図２に図示したように前記浮き部１を現場に直接降ろし、この浮き部１をシートとして構造物１３を養生することもできる。
【００５４】
また、前記浮き部１は、図３に図示したように、上述した内部に翼部９を所定間隔で複数並設状態に設けた空気流通部２をシート状部５で連設した構成の浮き部１を採用している。従って、面積の広い浮き部１を容易に構成することができる。
【００５５】
また、この空気流通部２とシート状部５とは留め具により着脱自在に構成している。
【００５６】
本実施例においては浮き部１を、この空気流通部２をシート状部５で連設した構成としたが、前記空気流通部２を多数並設した構成としても良い。
【００５７】
尚、本実施例においては、前記揚力部１５として前記空気流通部２内に断面視流線形状の翼部９を設けたが、例えば、この揚力部１５として代わりに前記空気流通部２に前記空気の流れに対して傾斜した傾斜面１０ａを有する凸部１０を設けても良いし、前記翼部９とこの凸部１０とを併用した構成としても良い。
【００５８】
この空気流通部２に設けた凸部１０に揚力が生じるのは、例えば、図４に図示したように前記空気流通部２の上面内方に断面視三角形状の凸部１０を複数並設した場合、この空気流通部２に送り込まれる空気の流れと対向する前記凸部１０の傾斜面１０ａに当たった空気は、この凸部１０に前記空気流通部２に対して垂直方向に働く揚力と、平行方向に働く推力とを生じさせるからである（これらの合力は凸部１０の前記傾斜面１０ａと平行方向に働く、即ち、前記空気流通部２は斜め上方向に力を受けることになる。）。
【００５９】
尚、前記翼部９の形状を断面視流線形状とせずに、他の形状、例えば断面視直線形状や断面視円弧形状としても良い。特に、断面視直線形状の場合には、この翼部９を前記空気流通部２に送り込まれる空気と略平行状態とせずに、この翼部９の底面を前記送り込まれる空気の流れに対して迎え角とするようにやや傾斜状態で配設することで、上述した凸部１０により揚力が生じるのと同様の作用で揚力を生じる。
【００６０】
また、空気の流速が小さい場合等においては、翼部９の迎え角を大きくして固定することで揚力を大きくすることができる。
【００６１】
また、前記翼部９の角度を設定した後に、送風する空気量若しくは空気速度を調整することで揚力を調整することができる。
【００６２】
本実施例においては、前記空気流通部２に揚力部１５を設けた構成としたが、これは、より大きな揚力を得るために設けたものであって、単にこの空気流通部２に空気を送り込むだけでも、空気流通部２の上面が迎え角となる場合は、この流通空気による揚力によって前記浮き部１は流通空気と同じ方向に浮上する。
【００６３】
浮き部１は、上述した空気流通部２と、この浮上する前記浮き部１の浮上を阻止してこの浮き部１を所定高さ位置に保持する浮上阻止機構４とから成るものである。
【００６４】
この浮上阻止機構４は、前記浮き部１に浮き部１の浮上を阻止する浮上引き止め部６を浮き部１と地上７若しくは地上固定部８との間に連設し、浮上する前記浮き部１の浮上を阻止してこの浮き部１を所定高さ位置に保持するように構成したものである。
【００６５】
具体的には、本実施例においては、前記空気流通部２の導入部２ａ側と支柱１１とを固定し、この空気流通部２内に配設したロープ状の浮上引き止め部６と排出部２ｂ側とを固定すると共に、この浮上引き止め部６の両端部をロープ状の浮上引き止め部６を巻き取り可能な前記地上固定部８であるドラムと固定することで前記浮き部１の浮上を阻止して所定高さ位置に保持している。
【００６６】
即ち、このロープ状の浮上引き止め部６は、排出部２ｂ側に設けられた前記地上固定部８であるドラムで長さを調整することができるから、このドラムによって前記ロープ状の浮上引き止め部６を巻き取ったり緩めたりすることで、極めて容易に前記浮き部１の浮上高さを変えることができる。
【００６７】
また、導入部２ａ側のドラムは、屋根が降下した時点で前記排出部２ｂ側に固定されたロープ状の浮上引き止め部６を巻き取ることで浮き部１を引き寄せるためのものである（施工した現場を浮き部１で覆われることから開放できる。）。
【００６８】
本実施例においては、前記ロープ状の浮上引き止め部６を用いて前記浮き部１の浮上を阻止しているが、ロープ状の浮上引き止め部６ではなく、例えば浮き部１の両端部を延長して袖部を設けた構成とし、この延長した袖部を浮上引き止め部６として地上７若しくは地上固定部８に固定しても良い。
【００６９】
また、本実施例においては上述したように、前記浮き部１の一端部を固定状態とする支柱１１を設け、浮き部１への送風時には、この浮き部１が傾斜して吹き流した状態で浮遊するように構成している。
【００７０】
尚、前記浮き部１の両端部を固定することで、より安定的な構成とすることができるが、雨避けや雪避けとして使用する場合、この浮き部１には傾斜がある方が雨や雪がたまりにくいため、前記浮き部１は両端を異なる高さで固定する方が望ましい。
【００７１】
また、本実施例においては、前記支柱１１と前記地上固定部８であるドラムと前記浮き部１に強制的に空気を送り込むための送風装置３とを、キャスターを取り付けて移動可能とした移動台座１２にまとめて設けた構成としている。
【００７２】
また、この浮き部１に単管で骨組みを形成し、強度の向上を図っても良いが、本実施例は、頑健な全天候型の仮設屋根としてでなく、雨避けや日避けとして誰でも手軽に用いることができる簡易な仮設屋根として使用することが望ましい。
【００７３】
また、山地等の谷部で周囲に高所が存する現場においては、２本の吊り下げ用のロープを両山側に張り、このロープ間に前記浮き部１を設置しても良く、その場合には、巻き取りロープで容易に移動可能な屋根となるが、浮き部１をなるべく小さく軽量となるように構成し且つ流れる空気による揚力で浮上させることで吊り下げ用ロープの張力を低減させることができる。
【００７４】
尚、図中符号１４は、前記送風装置３から前記空気流通部２へ送り込まれる空気を散逸させないための送風ガイド筒である。
【００７５】
本実施例は上述のように構成したから、浮き部１に設けた空気流通部２に、例えば送風装置３によって強制的に空気を送り込むと、この流通空気による揚力によって前記浮き部１が浮上する。
【００７６】
従って、工事現場の仮設屋根としてこの工事現場に施工する際、送風装置３によって空気流通部２に空気を送り込むだけで浮き部１を浮上させることができるから、従来用いられていたような特殊なガス体や梁を渡すための大掛かりな架台が必要なく、極めて容易且つコスト安に施工することができる。
【００７７】
また、この浮き部１は、送風装置３による空気の送り込みを停止若しくは減ずることで前記揚力が小さくなり、自重でこの浮き部１は降下する。
【００７８】
従って、送風装置３による空気の送り込みを停止若しくは減ずるだけで、極めて容易且つ手間なく短時間でこの浮上している浮き部１を降下させて、浮上高さを調整したり、地上に降ろすことができる。
【００７９】
即ち、従来長時間かかっていた上空からの撤去作業を、単に前記送風装置３からの空気の送り込みを調整するだけで行うことができるから、極めて短時間で上空から撤去することができる。
【００８０】
従って、短時間で上空から撤去することができるから、従来は効率的に行うことができなかったクレーンによる工事現場の上空からの資材の搬入が極めて効率的に行うことができることになるのは勿論、この浮き部１が破損するような悪天候時にも容易に降下させて収納することができる。
【００８１】
即ち、上述のように施工及び撤去を極めて容易且つコスト安に行うことができることから、従来のような工事現場における大規模な使用に限られるものではなく、誰でも手軽に用いることができる汎用性に秀れたものとなる。
【００８２】
また、揚力部１５である翼部９を前記空気流通部２内に所定間隔で複数並設状態に設けたから、この空気流通部２には略均等に揚力が働くことになり、極めて効率良く揚力を確保できることになり、前記浮き部１を容易に水平状態で浮上させることができる。
【００８３】
また、前記空気流通部２の一方側から他方側に空気を強制的に送り込むことで浮き部１を吹き流し状態で浮遊させたから、この空気の送り込みを停止若しくは減ずると空気流通部２内には揚力を生じる空気の流れがなくなり、この浮き部１は自重で降下することになり、極めて容易且つ手間なく撤去することができる。
【００８４】
また、浮上阻止機構４により、前記浮き部１を確実に所定高さ位置に保持することができるから、前記浮き部１が浮上しすぎることを気にせずに、前記送風装置３により勢いよく空気を送り込んで、この浮き部１は伸張状態で確実に所定の高さに浮上させることができる。
【００８５】
即ち、強風等によって容易に飛ばされることを防ぐことができる。
【００８６】
また、本実施例は、前記空気流通部２は樹脂製シート材で、前記浮上引き止め部６はロープ状であるから前記浮き部１は柔構造であり、折り畳みが容易であるため極めて扱いやすい。
【００８７】
また、前記空気流通部２を筒状としたから、送り込まれる空気が散逸することがなく、前記送風装置３によるロスが少なくなってより効率的に揚力を得ることができる。
【００８８】
また、前記浮き部１は、前記複数並設状態とした空気流通部２をシート状部５で連設した構成としたから、広範囲を覆うことができる大面積の浮き部１を極めて容易に製作できる。
【００８９】
また、前記支柱１１と地上固定部８であるドラムと送風装置３とを移動台座１２にまとめて設けたから、作業する区画毎に適宜移動させることで、広い作業現場全体をカバーすることができ、前記浮き部１を作業現場全体を覆える大きさにする必要がなく、極めてコスト安に施工できる。
【００９０】
また、前記支柱１１に一端部を取り付けて、前記空気流通部２に空気を送り込むことで、他端部側に上り傾斜して吹き流し状態で浮遊するように構成したから、雨や雪が前記浮き部１上にたまることがない。
【００９１】
よって、本実施例は、極めて容易且つコスト安に施工することができ、しかも、施工しても前記空気の送り込みを停止若しくは減ずることで極めて容易且つ手間なく降下させて現場の上空から撤去することができるから、誰でも手軽に用いることができる極めて実用性及び汎用性に秀れたものとなる。
【００９２】
即ち、本実施例においては工事現場で使用する仮設屋根とした場合について説明したが、他の屋外活動、例えばレジャー等にも手軽に使用できる小さなテントとすることもできる。
【００９３】
例えば、キャンピングカー等の後部ドアによるあおりに、前記浮き部１の一端部を取り付けて、キャンピングカーに小型の送風装置３を設け、この送風装置３により前記浮き部１の空気流通部２に空気を送り込むことで、このあおりを前記浮き部１で延長することができ、これにより別途テント等を張る必要なく極めて手軽で便利な仮設屋根として使用することができる。
【００９４】
また、上述したような雨避けや日避け、雪避けとしてだけでなく、他の用途、例えば、簡易廃棄物処分場においても活用できる。
【００９５】
具体的には、この簡易廃棄物処分場で廃棄物の運搬、敷均時に浮かせて作業空間を作り、作業外の時は前記浮き部１を廃棄物の上に降ろして使用する。
【００９６】
これにより、作業外の時に鳥や風によるゴミの飛散や臭いの拡散が防止できる。
【００９７】
また、例えば昼間の一定時間は浮かせて夜間は閉じるオブジェとして利用しても良く、この場合、前記浮き部１にイルミネーションを取り付けたり、浮き部１の一端部を軸１８の回りに沿って回転させることで一層見栄えが良くなる。
【００９８】
具体的には、図５に図示したように、前記軸１８の先端部に回転体１６を設け、この回転体１６に浮き部１の一端部を取り付け、この軸１８内と浮き部１に設けた空気流通部２とを連通状態に設け、この回転体１６の内面に送風装置３によって強制的に送り込まれた空気によってこの回転体１６を回転し得る羽根部１７を設けることで、この軸に沿って送風することで前記回転体１６を回転させ、併せて前記浮き部１を軸１８の回りを回転させると良い。
【００９９】
また、更に浮き部１の回転を速めるために、前記浮き部１の他端部をＬ字状に構成し、排出される空気で推力をつけるようにしても良い。
【０１００】
この方法は、屋内の空気調整設備に利用できるように構成しても良く、この場合には、空気の送風と、その送風空気で回転する浮き部１を撹拌翼とし、周辺の空気を撹拌することにより、室内空気を清浄且つ流動させることになる。また、更に広い範囲で撹拌を行うために、前記浮き部１の他端部をＬ字状に構成しても良い。
【０１０１】
【発明の効果】
本発明は上述のように構成したから、極めて容易且つコスト安に施工することができると共に、施工した現場から極めて容易且つ手間なく撤去することができ、誰でも手軽に用いることができる極めて実用性及び汎用性に秀れた浮体構造物となる。
【０１０２】
また、請求項２に記載の発明においては、強風等によって容易に飛ばされることを防ぐことができ、高さも容易に調整できる一層実用性に秀れたものとなる。
【０１０３】
また、請求項３に記載の発明においては、より一層効率的に揚力を確保することでかかるエネルギーを低減できる一層実用性に秀れたものとなる。
【０１０４】
また、請求項４に記載の発明においては、安定性が高まると共に短時間で降下させることができる一層実用性に秀れたものとなる。
【０１０５】
また、請求項５に記載の発明においては、折り畳んで容易に収納することができるより一層実用性に秀れたものとなる。
【０１０６】
また、請求項６に記載の発明においては、広範囲を覆うことができる大面積の浮き部を容易に施工することができるより一層実用性に秀れたものとなる。
【０１０７】
また、請求項７に記載の発明においては、浮上及び降下を一層短時間で行うことができる極めて実用性に秀れたものとなる。
【０１０８】
また、請求項８に記載の発明においては、浮き部をより確実に所定高さ位置に保持すると共に、高さの調整も容易となる極めて実用性に秀れたものとなる。
【０１０９】
また、請求項９及び１０に記載の発明においては、空気調整設備としても利用できる画期的なものとなる。
【図面の簡単な説明】
【図１】本実施例の説明側面図である。
【図２】本実施例の説明側面図である。
【図３】本実施例の説明斜視図である。
【図４】本実施例の説明側断面図である。
【図５】本実施例の説明側面図である。
【符号の説明】
１  浮き部
２  空気流通部
２ａ  導入部
２ｂ  排出部
３  送風装置
４  浮上阻止機構
５  シート状部
６  浮上引き止め部
７  地上
８  地上固定部
１５  揚力部
１６  回転体
１７  羽根部
１８  軸
【図１】
2004176464.tif 000003
【図２】
2004176464.tif 000004
【図３】
2004176464.tif 000005
【図４】
2004176464.tif 000006
【図５】
2004176464.tif 000007